(57)【特許請求の範囲】
【請求項１】
照明システム内の少なくとも１つのライトによって照らされるように構成されるロケーション内の占有の第１の測定値を生成するように構成された占有センサと、
前記ロケーション内の照明レベルの第２の測定値を生成するように構成されたフォトセンサであって、前記照明レベルは、前記ロケーション内の占有を示す、フォトセンサと、
前記第１の測定値に基づいて前記ロケーション内の占有状態を決定する制御デバイスであって、前記制御デバイスは、前記第２の測定値に基づいて前記決定された占有状態を検証した結果を決定し、前記第１の測定値及び前記第２の測定値間の一致は、前記決定された占有状態を有効にし、前記第１の測定値及び前記第２の測定値間の不一致は、前記決定された占有状態を無効にし、前記制御デバイスは、前記結果に基づいて信号を生成するように構成される、制御デバイスと、
前記信号を受信し、前記照明システムで対応する動作を実行するための手動オン自動オフ（ＭＯＡＯ）デバイスと、
を含む、システム。
【請求項２】
前記ロケーションは、特性タイプ及び空間設定を有し、前記特性タイプは、所与の時間における占有の頻度を示し、前記空間設定は、前記所与の時間における前記ロケーションの周囲光を示す、請求項１に記載のシステム。
【請求項３】
当該システムは、前記所与の時間を提供するように構成されたクロックを含む、請求項２に記載のシステム。
【請求項４】
前記制御デバイスは、前記ロケーションの前記特性タイプ及び前記空間設定に基づいて所定の照明閾値を識別する、請求項２に記載のシステム。
【請求項５】
前記第２の測定値の照明レベルが前記所定の照明閾値よりも大きいことは、前記照明システムがアクティブにされていることを示し、前記第２の測定値の照明レベルが前記所定の照明閾値よりも小さいことは、前記照明システムが非アクティブにされていることを示す、請求項４に記載のシステム。
【請求項６】
前記一致は、前記照明システムがアクティブにされていると決定され、肯定の占有が決定される第１の一致、又は前記照明システムが非アクティブにされていると決定され、否定の占有が決定される第２の一致のうちの１つに対応し、前記不一致は、前記照明システムがアクティブにされていると決定され、否定の占有が決定される第１の不一致、又は前記照明システムが非アクティブにされていると決定され、肯定の占有が決定される第２の不一致のうちの１つに対応する、請求項５に記載のシステム。
【請求項７】
前記制御デバイスは、前記第２の不一致が決定される場合前記ＭＯＡＯデバイスのための信号を生成し、該信号は、前記照明システムが非アクティブにされるべきであることを示す、請求項６に記載のシステム。
【請求項８】
当該システムは、前記ＭＯＡＯデバイスによる信号の受信に応じて前記照明システムを非アクティブにするためのカウントダウンを提供するように構成されたタイマを含む、請求項７に記載のシステム。
【請求項９】
前記制御デバイスは、前記ＭＯＡＯデバイスに信号を提供する前に許容閾値を識別し、前記許容閾値は、前記第２の不一致が決定され続けた期間を示し、前記制御デバイスは、前記許容閾値が満了した場合に該信号を提供する、請求項７に記載のシステム。
【請求項１０】
照明システムの少なくとも１つのライトによって照らされるロケーション内の占有の第１の測定値を受信するステップと、
前記ロケーション内の照明レベルの第２の測定値を受信するステップであって、前記照明レベルは、前記ロケーション内の占有を示す、ステップと、
前記第１の測定値に基づいて前記ロケーション内の占有状態を決定するステップと、
前記第２の測定値に基づいて前記決定された占有状態を検証した結果を決定するステップであって、前記第１の測定値及び前記第２の測定値間の一致は、前記決定された占有状態を有効にし、前記第１の測定値及び前記第２の測定値間の不一致は、前記決定された占有状態を無効にする、ステップと、
前記結果に基づいて手動オン自動オフ（ＭＯＡＯ）デバイスが前記照明システムで対応する動作を実行するための信号を生成するステップと、
を含む、方法。
【請求項１１】
前記ロケーションは、特性タイプ及び空間設定を有し、前記特性タイプは、所与の時間における占有の頻度を示し、前記空間設定は、前記所与の時間における前記ロケーションの周囲光を示し、当該方法は、
前記ロケーションの前記特性タイプ及び前記空間設定に基づいて所定の照明閾値を識別するステップ、
を含む、請求項１０に記載の方法。
【請求項１２】
前記第２の測定値の照明レベルが前記所定の照明閾値よりも大きいことは、前記照明システムがアクティブにされていることを示し、前記第２の測定値の照明レベルが前記所定の照明閾値よりも小さいことは、前記照明システムが非アクティブにされていることを示す、請求項１１に記載の方法。
【請求項１３】
前記一致は、前記照明システムがアクティブにされていると決定され、肯定の占有が決定される第１の一致、又は前記照明システムが非アクティブにされていると決定され、否定の占有が決定される第２の一致のうちの１つに対応し、前記不一致は、前記照明システムがアクティブにされていると決定され、否定の占有が決定される第１の不一致、又は前記照明システムが非アクティブにされていると決定され、肯定の占有が決定される第２の不一致のうちの１つに対応する、請求項１２に記載の方法。
【請求項１４】
前記信号が、前記第２の不一致が決定される場合に生成され、該信号は、前記照明システムが非アクティブにされるべきであることを示し、当該方法は、
前記ＭＯＡＯデバイスが前記照明システムを非アクティブにするためのカウントダウンを提供するように構成されたタイマをアクティブにするステップ、
を含む、請求項１３に記載の方法。
【発明の詳細な説明】
【技術分野】
【０００１】
自動照明動作のため占有を決定するデバイス、システム及び方法に関する。
【背景技術】
【０００２】
照明システムは、ロケーション(location)を照らすライトのセットを含んでもよい。照明システムは、さまざまなオプション、とりわけ、ロケーション内のライトがアクティブ及び非アクティブにされるメカニズムを構成されてもよい。第１の例では、ライトのアクティブ化及び／又は非アクティブ化は手動であってもよい。したがって、手動入力（例えば、ライトスイッチの切り替え(flipping)）が、ライトをアクティブ又は非アクティブにするために必要とされてもよい。第２の例では、ライトのアクティブ化及び／又は非アクティブ化を自動化されてもよい。したがって、照明システムは、ライトがアクティブ又は非アクティブにされるべきこと及び長さ(when and for long)を検出する必要なコンポーネントを備えてもよい。第３の例では、上記のメカニズムの組み合わせが使用されてもよい。
【０００３】
ライトをアクティブ又は非アクティブにする手動アプローチを組み込んだ照明システムに関連するさまざまな長所及び短所が存在し得る。例えば、手動入力が必要とされる場合、ライトは、所要の入力を提供する人によってしかアクティブにされない。手動入力要件は、ライトは必要になるまで非アクティブのままであり、ライトのアクティブ化時間及び電力消費を最小限に抑えることを確実にする。より重大な結果を伴う別の例では、ライトを非アクティブにするために手動入力が必要な場合、この手動入力が提供されるまでライトはアクティブのままであり得る。当業者は、ライトが手動で非アクティブにされていないためにライトが明確な理由なしに（例えば、ロケーションに人がいないのに）アクティブのままであり得るので、ライトを非アクティブにする手動入力がどのように問題になり得るかを理解するであろう。
【０００４】
照明システムがライトをアクティブ又は非アクティブにする自動化されたアプローチを組み込む場合も、さまざまな長所及び短所が関連し得る。意図したとおりに動作している場合、ロケーションに人がいることが検出される場合は自動アクティブ化が発生し得、ロケーションに人が検出されない場合は自動非アクティブ化が発生し得る。また、自動化されたアクティブ化／非アクティブ化は、人が存在する場合にのみライトが使用されるため、電力消費及びライトの寿命を最適化し得る。しかしながら、当業者は、自動化されたメカニズムが、人の検出が実行される方法に関連して課題を有することを理解するであろう。
【０００５】
照明システムにおいてライトをアクティブ及び／又は非アクティブにする自動化されたアプローチは、少なくとも１人の人が検出される際にライトがアクティブにされるように少なくとも１人がロケーションにいることを検出するために占有センサを利用してもよい。（モーションライトセンサとも呼ばれる）占有センサは、人による空間の占有を検出し、住宅用及び商業用のアプリケーションで自動的にライトをオン又はオフにしてもよい。１つ以上の占有センサが、壁に、天井に、壁のスイッチと一緒に、又は壁のスイッチとは別個に設けられてもよく、そのいずれも有線又は無線で照明システムに接続されてもよい。
【０００６】
人を検出するために使用され得るさまざまなタイプの占有センサがある。例えば、占有センサは、パッシブ赤外線（ＰＩＲ）、超音波、トモグラフィーモーション検出(tomographic motion detection)、マイクロ波センシング、カメラベースの検出等を使用してもよい。これらのタイプの占有センサの中で、ＰＩＲ占有センサは最も広く使用されているタイプである。当業者が理解するように、ＰＩＲ占有センサは、人を検出する能力を依然として提供しながら、特に無線アプリケーションに対して、低コスト、小さなフォームファクタ、及び低電力要件を提供する。具体的には、ＰＩＲ占有センサは、直接視野(direct range of view)内の熱源の動きを検出することによって動作する。しかしながら、ＰＩＲ占有センサは大きな動き(major movement)のみを検出し、占有のフォールスネガティブ(false negative)（例えば、実際に人が存在する場合に人を検出しない）を生成する傾向がある。反対に、コストは高くなるが、超音波センサは、空間にパルスを放出し、反射されたパルスを受信することで動作し、（わずかな動きからでも）差異を検出する。しかしながら、超音波占有のきめ細かい性質は、最小の動きでさえ検出することを可能にするかもしれないが、占有のフォールスポジティブ(false positive)（例えば、実際に人が存在しない場合に占有を検出する）を生成する傾向がある。
【０００７】
実際、占有センサの最もよく知られた問題は、ある状況でフォールスポジティブ及び／又はフォールスネガティブの信号を生成することである。フォールスポジティブ及びフォールスネガティブの信号は、照明システムの制御システムによって使用され、（ライトがアクティブなままであることによる）不要なエネルギの浪費及び（ライトが不注意に非アクティブにされることによる）必要な照明機能の中断につながる。さらに、フォールスポジティブ信号は、省エネのために制定されている規制に違反し、罰金につながる可能性がある。
【０００８】
当業者が理解するように、エネルギ法的要件(energy code requirement)は、照明規格及び規制においてますます考慮されてきている。具体的には、照明シナリオにおける省エネ及びエネルギ使用量の減少が、これらの照明規格と規制に含まれている。省エネに関しては、上記のように、照明システムのライトをアクティブ及び非アクティブにする手動アプローチ又は自動化アプローチのいずれかを使用することには、有利な点及び不利な点がある。エネルギ節約を最適にする１つの方法は、手動／自動化ハイブリッドアプローチを使用することである。具体的には、手動オン−自動オフ（ＭＯＡＯ：manual on - auto off）制御が、制御機能により最大のエネルギ節約を可能にし得る。実際、例えば、カリフォルニア州のタイトル２４の建物効率規格(Title 24 Building Efficiency Standards) ２０１３年、その後の２０１６年、２０１９年（カリフォルニア州法における）が、ロケーションのタイプ（例えば、部屋又はエリア）、並びに屋外スペースを含む住宅及び非住宅の建物で使用される照明器具（例えば、照明強度）に基づいて電力使用量を削減するために自動オフ付き手動オン制御を義務的に要求している。別の例では、ＡＳＨＲＡＥ／ＩＥＳ ９０．１−２０１３及びＩＥＣＣ ２０１５で指定されている屋内照明制御要件は両方とも、ほとんどの空間（例えば、劇場、刑務所、宗教建築、スポーツアリーナ、教室、講堂、トレーニングルーム、会議室、談話室、多目的室、監房、コピ−／印刷室等）で自動制御デバイスがライトを自動的に最高強度にアクティブにしないように、あるレベルの手動制御が最小制約として強制されることを必要としている。使用され得るオプションは、ライトを中間の強度にアクティブにすることである。通過した又は検討中の規格及び規制を鑑みると、自動オフ制御又は自動完全オフ制御の手動／自動化ハイブリッドアプローチが、建築基準法のコンプライアンスコース中に屋内空間に広く適用されるであろう。
【発明の概要】
【発明が解決しようとする課題】
【０００９】
ＭＯＡＯコントロールは特定の場合に必須であり、他の場合には考慮されるようにして、照明システムのライトは、（例えば、調光器の強度が依然自動化されている一方、その最大強度に）人によって手動でオンにされることのみが許可され、ロケーションが占有されていないと判断された場合あるタイムアウト期間後に自動的にオフにすることが許可される。建築基準法におけるこの制約は、環境によって引き起こされるフォールスポジティブ及び／又はフォールスネガティブ信号（例えば、人以外の物体の動きが、人による占有として検出される）を回避する意図がある。しかしながら、ＭＯＡＯ制御は占有センサを組み込む場合がある。ＭＯＡＯが占有センサを利用する場合があり、上記のさまざまな問題を鑑みると、ＭＯＡＯ制御は依然として、フォールスポジティブ及びフォールスネガティブを生み出す。
【００１０】
低コストの利点のためＰＩＲ占有センサが広く使用されるようになって、フォールスポジティブ及びフォールスネガティブを生成するというこの障害を解決するために、多くの高度なアルゴリズムが開発されている。実際、照明システムの制御システムが、より複雑で高度なインテリジェンスコンポーネントを組み込む場合、フォールスポジティブ及びフォールスネガティブは完全に排除されるかもしれない。しかしながら、ＰＩＲ占有センサの使用が費用対効果のために選択される場合、これらの複雑なコンポーネントは著しく高いコスト要因をもたらす。したがって、これらの複雑なコンポーネントは、ＭＯＡＯ制御を備えたＰＩＲ占有センサに対する適切なソリューションを提供しない。代わりに、とりわけ多くの屋内のロケーションで既に採用されているため、ＰＩＲ占有センサを引き続き使用できるようにする、より費用対効果の高いソリューションが、フォールスポジティブ及びフォールスネガティブを最小限に抑えるために必要とされる。
【課題を解決するための手段】
【００１１】
例示的な実施形態は、照明システム内の少なくとも１つのライトによって照らされるように構成されるロケーション内の占有の第１の測定値を生成するように構成された占有センサと、ロケーション内の照明レベルの第２の測定値を生成するように構成されたフォトセンサであって、照明レベルは、ロケーション内の占有を示す、フォトセンサと、第１の測定値に基づいてロケーション内の占有状態を決定する制御デバイスであって、制御デバイスは、第２の測定値に基づいて決定された占有状態を検証した結果を決定し、第１の測定値及び第２の測定値間の一致(agreement)は、決定された占有状態を有効にし、第１の測定値及び第２の測定値間の不一致(discrepancy)は、決定された占有状態を無効にし、制御デバイスは、結果に基づいて信号を生成するように構成される、制御デバイスと、信号を受信し、照明システムで対応する動作を実行するための手動オン自動オフ（ＭＯＡＯ：manual on-auto off）デバイスとを含む、システムに関する。
【００１２】
例示的な実施形態は、照明システムの少なくとも１つのライトによって照らされるロケーション内の占有の第１の測定値を受信するステップと、ロケーション内の照明レベルの第２の測定値を受信するステップであって、照明レベルは、ロケーション内の占有を示す、ステップと、第１の測定値に基づいてロケーション内の占有状態を決定するステップと、第２の測定値に基づいて決定された占有状態を検証した結果を決定するステップであって、第１の測定値及び第２の測定値間の一致は、決定された占有状態を有効にし、第１の測定値及び第２の測定値間の不一致は、決定された占有状態を無効にする、ステップと、結果に基づいて手動オン自動オフ（ＭＯＡＯ）デバイスが照明システムで対応する動作を実行するための信号を生成するステップとを含む、方法に関する。
【００１３】
例示的な実施形態は、照明システムの少なくとも１つのライトによって照らされるロケーション内の占有の第１の測定値及びロケーション内の照明レベルの第２の測定値を受信するように構成された受信回路であって、照明レベルは、ロケーション内の占有を示す、受信回路と、第１の測定値に基づいてロケーション内の占有状態を決定するように構成された処理回路であって、処理回路は、第２の測定値に基づいて決定された占有状態を検証した結果を決定するように構成され、第１の測定値及び第２の測定値間の一致は、決定された占有状態を有効にし、第１の測定値及び第２の測定値間の不一致は、決定された占有状態を無効にし、処理回路は、結果に基づいて信号を生成するように構成される、処理回路と、信号を受信し、照明システムで対応する動作を実行するための手動オン自動オフ（ＭＯＡＯ）デバイスとを含む、制御デバイスに関する。
【図面の簡単な説明】
【００１４】
【図１】例示的な実施形態によるシステムを示す。
【図２】例示的な実施形態による図１のシステムの実装形態を示す。
【図３】例示的な実施形態による占有を決定するための方法を示す。
【発明を実施するための形態】
【００１５】
例示的な実施形態は、以下の説明及び（同様の要素には同じ参照番号が与えられている）関連する添付の図面を参照してさらに理解されることができる。例示的な実施形態は、あるロケーションにおける自動化された照明動作のための占有を決定するためのデバイス、システム及び方法に関する。具体的には、例示的な実施形態は、ロケーション内のライトがアクティブにされるか、非アクティブにされるかを制御する自動化された動作のためのメカニズムを提供してもよい。例示的な実施形態のメカニズムはまた、最大強度よりも低い強度で部分的にアクティブにされるライトを制御するように構成されてもよい。以下でさらに詳細に説明されるように、ロケーションの照明システムのための制御システムは、占有センサから生成されるフォールスポジティブ及びフォールスネガティブを最小限に抑えるハイブリッド手動アプローチ及び自動化アプローチを含んでもよい。
【００１６】
以下でさらに詳細に説明されるように、例示的な実施形態は、ハイブリッド手動アプローチ及び自動化アプローチを含む手動オン自動オフ（ＭＯＡＯ）デバイスを活用してもよい。ＭＯＡＯは、ロケーションが占有されているか、無人であるかに対応する占有信号を生成する占有センサを組み込んでもよい。例示的な実施形態は、ロケーションが所定の閾値を超えて照らされているかどうかに対応する照明信号を生成するフォトセンサを組み込む。照明信号に基づいて、例示的な実施形態によるメカニズムは、占有信号が正しい信号であるか、占有についてのフォールスポジティブ又はフォールスネガティブのいずれかに対応するかどうかを決定してもよい。占有信号がフォールスインディケーション(false indication)である場合の訂正を通じて、例示的な実施形態は、ロケーションを照らす際に適切なアクションを正しく取ってもよい。比較的低コストのコンポーネントの組み込みを通じて、例示的な実施形態によるメカニズムは、照明システムの電力節約に向けられた法律及び規制にさらに合致した、占有のフォールスインディケーションに基づく動作を最小限に抑える実質的に費用対効果の高い方法を提供する。
【００１７】
図１は、例示的な実施形態によるシステム１００を示す。システム１００は、照明システム１１０と、照明システム１１０がどのように動作するかを制御する制御システム１１５とを含むロケーション１０５に関する。制御システム１１５のコンポーネントが１つの全体的なシステムに組み込まれているシステム１００が示されている。しかしながら、制御システム１１５のコンポーネントは、それらの間の通信機能、１つ以上のデバイスに組み込まれる、モジュラーコンポーネント（例えば、互いに接続された別個のコンポーネント）、又はそれらの組み合わせを有しながら、互いに分離されてもよいことに留意されたい。システム１００は、照明システム１１０と制御システム１１５との間の有線接続を示していることにも留意されたい。しかしながら、当業者は、信号又は他のインディケーション／コマンドの任意の通信方式がシステム１１０、１１５間、例えば、制御システム１１５のコンポーネント間等で使用されてもよいことを理解する。例えば、有線接続、無線接続、ネットワーク接続、又はそれらの組み合わせが使用されてもよい。
【００１８】
ロケーション１０５は、照明システム１１０が商業サイト又は住宅サイトのいずれかに照明を提供する任意のエリアであってもよい。第１の例では、ロケーション１０５は屋外ロケーションであってもよい。例えば、屋外ロケーションが商業サイトである場合、ロケーション１０５は、建物、アトリウム等に隣接する広場であってもよい。別の例では、屋外ロケーションが住宅サイトである場合、ロケーション１０５は、パティオ、車道、デッキ等であってもよい。第２の例では、ロケーション１０５は屋内ロケーションであってもよい。例えば、屋内ロケーションが商業サイトである場合、ロケーション１０５は、建物の床、倉庫の内部、建物内の部屋又はオフィス等であってもよい。別の例では、屋内ロケーションが住宅サイトである場合、ロケーション１０５は、寝室、居間、車庫等であってもよい。
【００１９】
システム１００は、異なる目的のために使用されるロケーション１０５に関連してもよい。したがって、ロケーション１０５が商業目的で使用される場合、ロケーション１０５が照明システム１１０を利用すると予想される関連する第１のタイムフレームがあってもよい。同様に、ロケーション１０５が住宅目的で使用される場合、ロケーション１０５が照明システム１１０を利用すると予想される第１のタイムフレームとは反対等の関連する第２のタイムフレームがあってもよい。例えば、金融機関のオフィスは、午前９時から午後５時までの通常の営業時間を有し、照明システム１１０の使用がそれに対応する一方、寝室は、このタイムフレーム外の午後５時から午前９時まで通常の使用をし、照明システム１１０の使用が（寝室での通常の睡眠時間中等照明システム１１０が必要とされない時間を排除するための潜在的な変更を伴って）それに対応するかもしれない。以下でさらに詳細に説明されるように、ロケーション１０５の目的は、例示的な実施形態のメカニズム、及び照明システム１１０が自動制御を通じて動作する方法に寄与してもよい。
【００２０】
照明システム１１０は、ロケーションを照らす複数のライトを含んでもよい。例えば、商業サイトでは、照明システム１１０は、天井蛍光灯電球を含んでもよく、一方、住宅サイトでは、照明システム１１０は、ランプに電球を含んでもよい。ロケーション１０５に照明を提供する際、照明システム１１０はさらに、ライトに接続されるさらなるコンポーネントを含んでもよい。例えば、さらなるコンポーネントは、電源、電流ドライバ等を含んでもよい。当業者は、照明システム１１０のライトに電力を提供する任意の様々なコンポーネントが、ライトが照明を提供するために使用されてもよいことを理解する。照明システム１１０のライトはまた、様々な設定を使用して照明されるように構成されてもよい。第１の例では、ライトは、完全に照明される又は非アクティブにされるようにのみ構成されてもよい。第２の例では、ライトは、調光可能であるように構成されてもよく、又は完全には照明されない状態を使用するように構成されてもよい。すなわち、ライトは、完全に照明される、非アクティブにされる、又は部分的に照明されるように構成されてもよく、部分照明はまた、１つ以上の異なる部分設定を含んでもよい。
【００２１】
例示的な実施形態によれば、制御システム１１５は、ロケーション１０５の照明に関して照明システム１１０がどのように動作するかを決定するのに使用される複数のコンポーネントを表してもよい。制御システム１１５のコンポーネントは、手動入力レシーバ１２０、ＭＯＡＯデバイス１２５、占有センサ１３０、フォトセンサ１３５、クロック１４０、及びタイマ１４５を含んでもよい。上述のように、制御システム１１５のコンポーネントはすべて単一のデバイスに組み込まれてもよく、又は各デバイスが１つ以上のコンポーネントを含むように異なるデバイスに分散されてもよい。例えば、ＭＯＡＯデバイス１２５は、占有センサ１３０及び手動入力レシーバ１２０も含む第１のデバイスに組み込まれてもい。したがって、フォトセンサ１３５、クロック１４０及びタイマ１４５は、第１のデバイスに接続される１つ以上の別個のデバイスに組み込まれてもよい。別の例では、占有センサ１３０及びフォトセンサ１３５の感知コンポーネントが第１のデバイスに組み込まれる一方、ＭＯＡＯデバイス１２５、クロック１４０及びタイマ１４５は、第１のデバイスに接続される１つ以上の別個のデバイスに組み込まれてもよい。さらなる例では、コンポーネントのすべてが互いに分離され、互いに通信するように接続されてもよい。
【００２２】
手動入力レシーバ１２０は、（本明細書では「ユーザ」とも称される）人が照明システム１１０を手動でアクティブ又は非アクティブにすることを可能にする任意のコンポーネントであってもよい。例えば、手動入力レシーバ１２０は、第１の方向へフリップすることが照明システム１１０をアクティブにし、反対の第２の方向にフリップすることが照明システム１１０を非アクティブにするライトスイッチであってもよい。別の例では、手動入力レシーバ１２０は、照明システム１１０が非アクティブにされている場合に照明システム１１０をアクティブにするため及び照明システム１１０がアクティブにされている場合に照明システム１１０を非アクティブにするために押される単一ボタンレシーバであってもよい。さらなる例では、手動入力レシーバ１２０は、ユーザによって制御されるワイヤレスリモートから信号を受信する無線受信機であってもよい。手動入力レシーバ１２０からの入力は、自動制御動作をオーバーライドしてもよい。すなわち、照明システム１１０はアクティブにされたままにすべきであると制御システム１１５が決定するにもかかわらず、照明システム１１０を非アクティブにするための手動入力レシーバ１２０からの入力が優先されてもよい。
【００２３】
ＭＯＡＯデバイス１２５は、異なるタイプの入力が、照明システム１１０が動作する方法を決定する際に使用されることを可能にするコンポーネントであってもよい。具体的には、ＭＯＡＯデバイス１２５は、照明システム１１０の手動又は自動アクティブ化／非アクティブ化に対応する入力を受けてもよい。ＭＯＡＯデバイス１２５は、ライトがアクティブにされる（例えば、完全に照明される）、非アクティブにされる、又は別の設定（例えば、中間照明）を使用するべきかどうかを示す信号を照明システム１１０に生成するために入力を使用してもよい。例えば、ＭＯＡＯデバイス１２５は、ユーザが入力を提供したことを示す信号を手動入力レシーバ１２０から受けてもよい。したがって、ＭＯＡＯデバイス１２５は、照明システム１１０が適切な照明動作を実行するための対応する信号を生成してもよい。別の例では、ＭＯＡＯデバイス１２５は、占有センサ１３０、フォトセンサ１３５及び／又はクロック１４０から１つ以上の信号を受けてもよい。以下でさらに詳細に説明されるように、これらのコンポーネントからの信号は、対応する信号が自動的に生成され、照明システム１１０に提供されるように、照明システム１１０がどのように動作するかを決定するのに使用されてもよい。ＭＯＡＯデバイス１２５は信号を受信及び処理するように構成されるので、制御システム１１５内又はロケーション１０５内のＭＯＡＯデバイス１２５の特定の配置の要件はないことに留意されたい。実際には、ＭＯＡＯデバイス１２５は、ロケーション１０５内又はロケーション１０５の近くに配置される必要さえないかもしれない。
【００２４】
占有センサ１３０は、ユーザがロケーション１０５に存在するかどうかを決定するように構成される任意のコンポーネントであってよい。例えば、占有センサ１３０は、ヒートシグネチャ(heat signature)の動きを検出する受動赤外線（ＰＩＲ）占有センサであってよい。別の例では、占有センサ１３０は、超音波占有センサ、トモグラフィーモーション検出占有センサ、マイクロ波占有センサ、イメージャセンサ等であってもよい。センサのタイプに関連するそれぞれの技術を使用して、占有センサ１３０は、占有センサ１３０がロケーション内の占有を検出したかどうかを示すＭＯＡＯデバイス１２５のための信号を生成してもよい。例えば、ヒートシグネチャが所定の閾値を超えて移動し、ユーザがロケーション１０５に存在することを示す場合、信号は高出力であってもよい。別の例では、ヒートシグネチャが検出されない、又はヒートシグネチャが所定の閾値を超えて移動せず、ユーザがロケーション１０５に存在しないことを示す場合、信号は低出力であってもよい。
【００２５】
占有センサ１３０は、ロケーション１０５におけるユーザによる占有を決定するように構成されるので、占有センサ１３０は、動作視野がロケーション１０５内にあるように位置付けられてもよいことに留意されたい。さらに、占有センサ１３０は、ロケーション１０５におけるユーザによる占有を検出できる可能性が最も高くなるように（例えば、高すぎない、活動がほとんど又はまったくないエリアに面していない等）戦略的に位置付けられてもよい。ロケーション１０５のサイズ及び占有センサ１３０の能力（例えば、動作視野のサイズ）に基づいて、ロケーション１０５に対して１つ以上の占有センサ１３０があってもよいことに留意されたい。
【００２６】
フォトセンサ１３５は、ロケーション１０５の照明レベルを決定するように構成される任意のコンポーネントであってよい。例えば、フォトセンサ１３５は、フォトエミッションセンサ、光電センサ、光起電力センサ、光化学センサ、半導体センサ、熱センサ等であってよい。センサのタイプに関連するそれぞれの技術を使用して、フォトセンサ１３５は、ロケーション１０５内の照明レベルが所定の照明閾値を上回る又は下回るかどうかを示すＭＯＡＯデバイス１２５のための信号を生成してもよい。例えば、ロケーション１０５において検出される照明レベルが所定の照明閾値を上回る場合、信号は高出力であってもよい。別の例では、ロケーション１０５において検出される照明レベルが所定の照明閾値を下回る場合、信号は低出力であってもよい。以下で詳細に説明されるように、検出される照明レベルは、照明システム１１０のライトが所定の照明閾値に対するある照明レベルを提供しているかどうかに対応してもよい。しかしながら、時刻、及びさらなる光源が（例えば、窓を通して）存在し得るかどうかに応じて、フォトセンサ１３５は、周囲光源からの周囲光及び照明システム１１０の電気的照明の両方を測定してもよい。フォトセンサ１３５及び／又はさらなるコンポーネント（例えば、ＭＯＡＯデバイス１２５）は、周囲光を考慮し、測定されている総照明レベルをフィルタリングして、照明システム１１０に対応する照明レベルを示すように構成されてもよい。
【００２７】
フォトセンサ１３５は、ロケーション１０５における照明レベルを決定するように構成されるので、フォトセンサ１３５は、動作視野がロケーション１０５内にあるように位置付けられてもよいことに留意されたい。さらに、フォトセンサ１３５は、検出される照明レベルが、照明システム１１０のライトに対応する、又は照明システム１１０のライトについて決定されることができるように（例えば、照明システム１１０のライトの方向に）戦略的に位置付けられてもよい。例えば、フォトセンサ１３５が、動作視野が（例えば、窓又は周囲光の他の光源がない）閉鎖された室内で照明システム１１５のライトのセットに面しているように位置付けられる場合、検出される照明レベルは、照明システム１１０についてのみであってもよい。別の例では、フォトセンサ１３５が、動作視野が照明システム１１５のライトのセットに面しているが、日中大きな窓にも面しているように位置付けられる場合、照明レベルは、周囲光及び電気光の合計としてフォトセンサ１３５によって測定されてもよい。
【００２８】
クロック１４０は、日中の時間を示す時間追跡(time tracking)コンポーネントであってもよい。具体的には、クロック１４０は、日中のリアルタイムを提供するリアルタイムクロック（ＲＴＣ）であってもよい。クロック１４０はまた、曜日及び／又は年の月を追跡してもよい。以下でさらに詳細に説明されるように、クロック１４０は、使用されるべき所定の照明閾値を定義するために使用される入力を提供されてもよい。
【００２９】
タイマ１４５は、照明システム１１０のライトに対して非アクティブ化動作がいつ実行されるべきかを示す時間追跡コンポーネントであってもよい。当業者が理解するように、ＭＯＡＯ構成の照明システムは、ロケーション１０５がその中にユーザがいないと決定される場合、ライトが非アクティブにされるときまでカウントダウンが開始され得るようなシャットダウンメカニズムを利用してもよい。タイマ１４５は、制御システム１１５のためのカウントダウンを提供してもよい。タイマ１４５は、任意の値であってもよく、様々な要因に依存してもよい。例えば、比較的大きな部屋では、タイマ１４５は、比較的小さな部屋（例えば、５分）よりも長くても（例えば、１０分）よい。別の例では、タイマ１４５は、固定され、ロケーション１０５の任意の特性に無関係であってもよい（例えば、５分）。費用対効果が高く、例示的な実施形態と統合されることができる場合、決定ユニットが、ロケーション１０５に適切なカウントダウン期間を定義するために動的にタイマ１４５を制御してもよい。
【００３０】
例示的な実施形態によれば、制御システム１１５は、占有センサ１３０からの信号が、フォトセンサ１３５からの信号を通じて提供される他の利用可能な情報に対応するかどうかを検証するためにコンポーネントを利用してもよい。具体的には、制御システム１１５は、ロケーション１０５における１人以上のユーザの動きを検出するために占有センサ１３０を利用し、ロケーション１０５における照明の量を測定するためにフォトセンサ１３５を利用し、時間依存占有を推測するためのタイミング情報を示すためにクロック１４０を利用し、遅延調整される自動非アクティブ化動作を促すためにタイマ１４５を利用してもよい。したがって、制御システム１１５は、時間依存占有検出をクロス検証(cross validate)し、占有センサ１３０からの信号のフォールスポジティブ及びフォールスネガティブを検出／修正するように構成されてもよい。占有センサ１３０のフォールスポジティブ又はフォールスネガティブを検出することにより、より適切なアクションが、（例えば、占有センサ１３０からのフォールスポジティブ等）ロケーションにユーザが存在しない場合に照明システム１１５を不注意にアクティブにするのではなく、制御システム１１５によって取られてもよい。例えば、占有センサ１３０が動き検出器である場合、又はユーザではない熱源がシフトした場合、占有センサ１３０は、ロケーション１０５にユーザがいない場合に占有を示す可能性がある。より適切なアクションはまた、（例えば、占有センサ１３０からのフォールスネガティブ等）ロケーション１０５に１人以上のユーザが存在する場合に照明システム１１５を不注意に非アクティブにするのではなく、制御システム１１５によって取られてもよい。例えば、ロケーション１０５に存在する１人以上のユーザが、ＰＩＲ占有センサの動き閾値が超えられないようにある期間動かなかった場合、占有センサ１３０は、ロケーション１０５が現在誰もいなく、タイマ１４５が照明システム１１５が非アクティブにされることを引き起こすようにトリガされるべきであることを示す可能性がある。
【００３１】
占有センサ１３０からの信号を確認するにあたり、占有センサ１３０は、その機能を実行し、（例えば、検出された熱源の動きに基づいて）ユーザの存在又は不在に関する入力を提供してもよい。制御システム１１５はまた、（例えば、照明レベルに基づいて）照明システム１１０がアクティブにされているか又は非アクティブにされているかどうかに関するフォトセンサ１３５からの出力に基づいてさらなる信号を提供してもよい。このようにして、結果として生じ得る複数の異なる組み合わせがあり得る。第１の組み合わせでは、占有センサ１３０は、ユーザの存在を示し得、一方、フォトセンサ１３５は、照明システム１１０がアクティブにされていることを示し得る。第２の組み合わせでは、占有センサ１３０は、ユーザの不在を示し得、一方、フォトセンサ１３５は、照明システム１１０が非アクティブにされていることを示し得る。第３の組み合わせでは、占有センサ１３０は、ユーザの存在を示し得、一方、フォトセンサ１３５は、照明システム１１０が非アクティブにされていることを示し得る。第４の組み合わせでは、占有センサ１３０は、ユーザの不在を示し得、一方、フォトセンサ１３５は、照明システム１１０がアクティブにされていることを示し得る。
【００３２】
例示的な実施形態の以下の説明から、フォトセンサ１３５からの信号は、照明システム１１０の照明レベルに関連すると考えられてもよいことに留意されたい。完全に照明されている照明システム１１０は、ロケーション１０５内のユーザから手動入力レシーバ１２０によって受けられる入力からのみもたらされてもよいと考えられてもよい。すなわち、完全な照明を提供する照明システム１１０は、ロケーション１０５が少なくとも１人のユーザによって占有されている状況に対応してもよい。さらに、部分的な照明設定が利用可能であり、そのような設定が自動化された方法で使用され得る場合、この設定は、フォトセンサ１３５による測定で使用される照明閾値を満たさないことに留意されたい。
【００３３】
第１の組み合わせの場合、占有センサ１３０は、ロケーション１０５に少なくとも１人のユーザがいるというインディケーションを返す。同様に、フォトセンサ１３５は、少なくとも１人のユーザがロケーション１０５にいることに対応する、照明システム１１０がアクティブにされているというインディケーションを返す。したがって、第１の組み合わせは、占有センサ１３０及びフォトセンサ１３５が、ロケーション１０５に少なくとも１人のユーザがいるという同じ結果を測定する場合に対応する。すなわち、フォトセンサ１３５は、占有センサ１３０の所見(finding)を確認する(confirm)。言い換えると、占有センサ１３０からの信号はトゥルーポジティブ(true positive)である。占有センサ１３０がトゥルーポジティブであることに鑑みて、制御システム１１５は、アクティブにされている照明システム１１０の現在の設定を維持してもよい。例えば、タイマ１４５は、照明システム１１０を非アクティブにするカウントダウンのためにトリガされない。
【００３４】
第２の組み合わせの場合、占有センサ１３０は、ロケーション１０５にユーザがいないというインディケーションを返す。同様に、フォトセンサ１３５は、ユーザがロケーション１０５にいないことに対応する、照明システム１１０が非アクティブにされているというインディケーションを返す。したがって、第２の組み合わせは、占有センサ１３０及びフォトセンサ１３５が、ロケーション１０５にユーザがいないという同じ結果を測定する場合に対応する。すなわち、フォトセンサ１３５は、占有センサ１３０の所見を確認する。言い換えると、占有センサ１３０からの信号はトゥルーネガティブ(true negative)である。占有センサ１３０がトゥルーネガティブであることに鑑みて、制御システム１１５は、非アクティブにされている照明システム１１０の現在の設定を維持してもよい。例えば、制御システム１１５に自動アクティブ化機能が構成されていると仮定すると、部分照明レベルに対する照明システム１１０のための自動アクティブ化動作は実行されなくてもよい。
【００３５】
第３の組み合わせの場合、占有センサ１３０は、ロケーション１０５に少なくとも１人のユーザがいるというインディケーションを返す。対照的に、フォトセンサ１３５は、ユーザがロケーション１０５にいないことに対応する、照明システム１１０が非アクティブにされているというインディケーションを返す。すなわち、照明システム１１０は、手動入力レシーバ１２０を介した手動入力からのみ達成され得る完全な照明レベルに到達するようにアクティブにされなかった。したがって、第３の組み合わせは、占有センサ１３０及びフォトセンサ１３５が、異なる結果を測定する場合に対応する。すなわち、フォトセンサ１３５は、占有センサ１３０の所見が不正確であることを検証する。言い換えると、占有センサ１３０からの信号はフォールスポジティブである。占有センサ１３０がフォールスポジティブであることに鑑みて、制御システム１１５は、非アクティブにされている照明システム１１０の現在の設定を維持してもよい。例えば、制御システム１１５に自動アクティブ化機能が構成されていると仮定すると、部分照明レベルに対する照明システム１１０のための自動アクティブ化動作は実行されなくてもよい。照明システム１１０が非アクティブにされている一方、ロケーション１０５に入ったユーザがいるというシナリオでは、占有センサ１３０からのフォールスポジティブの結果は、ユーザが手動入力レシーバ１２０を使用して照明システム１１０を手動でアクティブにすることにより依然として対処されてもよい。その後、第１の組み合わせの結果及び制御システム１１５がそれに応じて進んでもよい。
【００３６】
第４の組み合わせの場合、占有センサ１３０は、ロケーション１０５にユーザがいないというインディケーションを返す。対照的に、フォトセンサ１３５は、少なくとも１人のユーザがロケーション１０５にいるという仮定に対応する、照明システム１１０がアクティブにされているというインディケーションを返す。すなわち、照明システム１１０は、手動入力レシーバ１２０を介した手動入力からのみ達成され得る完全な照明レベルに到達するように手動でアクティブにされた。したがって、第４の組み合わせは、占有センサ１３０及びフォトセンサ１３５が、異なる結果を測定する場合に対応する。すなわち、フォトセンサ１３５は、占有センサ１３０の所見が不正確であることを検証する。言い換えると、占有センサ１３０からの信号はフォールスネガティブである。占有センサ１３０がフォールスネガティブであることに鑑みて、制御システム１１５は、照明システム１１０を非アクティブにしてもよい。例えば、タイマ１４５は、照明システム１１０を非アクティブにするカウントダウンのためにトリガされてもよい。
【００３７】
制御システム１１５は、照明システム１１０が非アクティブにされるべきかどうかの性能を改善するために使用される許容閾値(tolerance threshold)を備えてもよいことに留意されたい。例えば、照明システム１１０がアクティブにされているが、実際にはロケーション１０５にユーザがいない可能性がある。斯くして、許容閾値は、占有センサ１３０が、ロケーション１０５におけるユーザの不在を測定し続ける一方、フォトセンサ１３５が、所定の照明閾値を満たす照明レベルを測定し続ける（すなわち、第４の組み合わせが識別され続ける）期間を測定するさらなるタイマであってもよい。時間を追跡する特定の方法では、クロック１４０が、第４の組み合わせの第１のインスタンスが識別された場合に第１のタイムスタンプを提供してもよい。第１のタイムスタンプは、許容閾値がトリガされたときを示す。許容閾値を超え（例えば、第２のタイムスタンプが識別され、第２のタイムスタンプと第１のタイムスタンプとの差が許容閾値より大きい）、占有センサ１３０が不在のみを測定した場合、制御システム１１５は、占有センサ１３０は、フォールスネガティブではなくトゥルーネガティブを報告していると仮定してもよい。斯くして、照明システム１１０を非アクティブにするためのカウントダウンのためのタイマ１４５がトリガされてもよい。しかしながら、（第１のタイムスタンプから第２のタイムスタンプの前の任意の時間までの）許容閾値中の任意の時点で、占有センサ１３０がユーザの存在を測定した場合、制御システム１１５は再び、占有センサ１３０がフォールスネガティブを報告していると仮定してもよい。この許容閾値は、タイマ１４５がトリガされるまで継続的に使用されてもよい。
【００３８】
フォトセンサ１３０からの測定値を比較するために使用される所定の照明閾値は、様々な方法で決定されてもよい。第１の例では、所定の照明閾値は、固定ルーメン値より大きい照明測定値が、照明システム１１０がアクティブにされていることを示し、固定ルーメン値より小さい照明測定値が、照明システムが非アクティブにされていることを示すように、固定ルーメン値に設定されてもよい。
【００３９】
第２の例では、所定の照明閾値は、様々な要因に依存してもよい。上記のように、ロケーション１０５は、様々な目的のためであり得、様々なサイズを呈し得る。したがって、ロケーション１０５の空間設定は、所定の照明閾値を決定する際に寄与する要因であってもよい。具体的には、空間設定は、照明システム１１５が利用されているロケーション１０５についての空間のパラメータを考慮してもよい。例えば、ロケーション１０５が商業用建物である場合、業務時間中に占有される可能性が高く、一方、ロケーション１０５が住宅用建物である場合、業務時間外に占有される可能性が高い。昼光又は周囲光のその他の光源のアクセシビリティがさらに、空間設定に織り込まれてもよい。したがって、制御システム１１５は、所定の照明設定がロケーション１０５のためにどのように設定されるかを識別するために斯かる要因を用いてコミッショニングされてもよい。費用対効果が高く、組み込まれることができる場合、所定の照明閾値は、ロケーション１０５における変化する要因(changing factor)に基づいて動的に決定されてもよく、システム１００が設置される場所の較正に基づいてもよい。
【００４０】
所定の照明閾値が空間設定を用いて設定可能である場合、クロック１４０によって示される時刻が、制御システム１１５への入力を提供してもよい。具体的には、時刻は、空間設定とともに、使用されるべき所定の照明閾値を提供してもよい。空間設定はまた、クロック１４５からの時間におけるロケーション１０５内の平均周囲光を補償し得るので、所定の照明閾値は、フォトセンサ１３０からの測定された照明に基づいて、照明システム１１０がアクティブ又は非アクティブにされるかどうかを示してもよい。したがって、所定の照明閾値は、時間に依存し、空間的にカスタマイズされてもよい。
【００４１】
許容閾値も、様々な要因に基づいてもよいことに留意されたい。例えば、ロケーション１０５がトラヒック量の多いエリアである場合、許容閾値は比較的低く設定されてもよい。しかしながら、ロケーション１０５がトラヒック量の少ないエリアである場合、許容閾値は比較的高く設定されてもよい。許容閾値はまた、クロック１４５によって提供される時間に基づいて設定されてもよい。例えば、ロケーション１０５が商業用建物である場合、時間は、ユーザの平均的な高トラヒック又は低トラヒックがあるかどうかを示してもよい。この平均トラヒックに基づいて、許容閾値が相応に設定されてもよい。
【００４２】
図２は、例示的な実施形態による図１のシステム１００の実装形態２００を示す。実装形態２００は、システム１００が回路コンポーネントを含む例示的な実施形態に関する。例えば、ＭＯＡＯデバイス１２５、占有センサ１３０、フォトセンサ１３５及びタイマ１４５は、各々回路コンポーネントであってもよい。したがって、図２の実装形態２００は、回路図の概略を表してもよい。実装形態２００は、占有センサ１３０の結果を確認又は否定するために占有センサ１３０からの信号と照明システム１１０のステータスとの比較を利用してもよい。このようにして、ＭＯＡＯデバイス１２５は、適切なアクションをとってもよい。
【００４３】
実装形態２００は、信号が交換されるためにコンポーネントが互いに相互接続される任意の回路実装形態であってもよい。これらのコンポーネントは、１つ以上の集積回路に含まれてもよく、１つ以上のプリント回路基板に含まれてもよく、又は必要に応じて個別に実装されてもよい。この例示的な実装形態２００では、様々なコンポーネントからの測定値が様々な時間間隔で提供されてもよい。第１の例では、測定値は、継続的に提供されてもよい。第２の例では、測定値は、一定の時間間隔（例えば、１０秒ごと、１分ごと等）で提供されてもよい。測定値に基づいて、ＭＯＡＯ１２５は適切なアクションを決定してもよい。
【００４４】
測定が行われるタイミング及び実装形態２００について本明細書で説明されるシーケンスは例示に過ぎないことに留意されたい。すなわち、測定は異なる時間に行われてもよいが、対応する測定値（同じ時間における測定値）が使用されるように比較が行われてもよい。
【００４５】
実装形態２００に示されるように、クロック１４０は、時刻を示してもよい。ロケーションタイプ２０５及び関連する空間設定も決定されてもよい。斯くして、クロック１４０からの時間及びロケーションタイプ２０５に基づいて、基準２１０が決定されてもよい。具体的には、基準２１０は、所定の照明閾値であってもよい。基準２１０が決定されると、フォトセンサ１３５からの測定値が決定されてもよい。基準２１０及びフォトセンサ１３５からの測定値は、測定値が基準２１０と比較されるコンパレータ２１５に供給されてもよい。測定値が基準２１０よりも大きい場合、コンパレータ２１５は、照明システム１１０はアクティブにされていることを示す高出力を有してもよい。測定値が基準２１０よりも小さい場合、コンパレータ２１５は、照明システム１１０は非アクティブにされていることを示す低出力を有してもよい。
【００４６】
ＭＯＡＯデバイス１２５がその機能を実行する前に、占有センサ１３０からの測定値が決定されてもよい。ＰＩＲ占有センサを仮定すると、測定値が動き閾値よりも大きい場合、占有センサ１３０は、ロケーション１０５に占有があることを示す高出力を有してもよい。測定値が動き閾値よりも小さい場合、占有センサ１３０は、ロケーション１０５に占有がないことを示す低出力を有してもよい。
【００４７】
コンパレータ２１５からの出力及び占有センサ１３０からの出力を使用して、ＭＯＡＯデバイス１２５は、適切なアクションを実行してもよい。ＭＯＡＯデバイス１２５は、占有センサが（それぞれ）トゥルーポジティブ、トゥルーネガティブ、フォールスポジティブ又はフォールスネガティブを出力したかどうかを識別するために出力の組み合わせ（例えば、高高、低低、高低及び低高）を決定してもよい。上記のように、ＭＯＡＯデバイス１２５の結果がトゥルーポジティブ又はトゥルーネガティブである場合、照明システム１１０の現在の照明設定が維持されてもよい。ＭＯＡＯデバイス１２５の結果がフォールスポジティブである場合、照明システム１１０の現在の照明設定は非アクティブにされたままであってもよく、ユーザが実際にロケーション１０５にいる場合、照明システム１１０をアクティブにする手動入力が受けられてもよい。ＭＯＡＯデバイス１２５の結果がフォールスネガティブである場合、ＭＯＡＯデバイス１２５は、クロック１４０からタイムスタンプを受けてもよい。フォールスネガティブが最初に識別された場合、タイムスタンプは、許容閾値をトリガするために使用されてもよい。以前にフォールスネガティブが識別されている場合、タイムスタンプは、許容閾値を超えたかどうかを決定するために使用されてもよい。許容閾値を超えてもフォールスネガティブが続く場合、ＭＯＡＯデバイス１２５は、占有センサ１３０がトゥルーネガティブを生成していると仮定し、タイマ１４５が、照明システム１１０を非アクティブにするためカウントダウンを開始するためにトリガされる。
【００４８】
上述の実装形態２００は、回路コンポーネントのセットであるシステム１００に関する。しかしながら、システム１００は、様々な他の方法で実装されてもよい。例えば、システム１００は、とりわけ動的設定及び／又は閾値が使用されるべき場合、より複雑なコンポーネントを含んでもよい。システム１００の別の例示的な実施形態では、ＭＯＡＯデバイス１２５は、システム１００の他のコンポーネントが接続されるコンピューティングコンポーネントであってもよい。そのような実施形態では、ＭＯＡＯデバイス１２５は、プロセッサ、メモリ構成、トランシーバ、及び他のコンポーネントを含んでもよい。
【００４９】
図３は、例示的な実施形態によるロケーション１０５における占有を決定するための方法３００を示す。具体的には、方法３００は、占有センサ１３０の出力がフォトセンサ１３５に基づく出力に基づいて検証される例示的な実施形態のメカニズムに関連してもよい。方法３００は、システム１００のコンポーネントが回路ユニットである実装形態２００において構成される制御システム１１５の観点から述べられる。方法３００はまた、図１のシステム１００に関して述べられる。
【００５０】
ステップ３０５において、制御システム１１５は、ロケーションのタイプ（例えば、ロケーションタイプ２０５）を識別する。上述のように、ロケーションのタイプは、いつ占有が予想され得るか、及び周囲光のレベルを示し得る空間設定を伴ってもよい。ステップ３１０において、制御システム１１５は、クロック１４０からの入力に基づいて現在の時間を決定する。したがって、ステップ３１５において、所定の照明閾値（例えば、基準２１０）は、ロケーションタイプ２０５及び時刻から決定されてもよい。
【００５１】
ステップ３２０において、フォトセンサ１３５によって測定された照度が受けられてもよい。上記のように、フォトセンサ１３５は、周囲光（他の光源からの光）及び電気光（照明システム１１０からの光）の合計を測定するために任意のメカニズムを利用してもよい。所定の照明閾値が任意の周囲照明を補償する場合、ステップ３２５において、制御システム１１５は、照明レベルが所定の照明閾値よりも大きいかどうかを判断する。すなわち、制御システム１１５は、照明システム１１０が、照明を開始するためにユーザが手動入力レシーバ１２０に入力を提供することを必要とするフル照明強度でアクティブにされているかどうかを決定する。照明レベルが所定の照明閾値よりも大きい場合、ステップ３３０において、照明システム１１０がアクティブにされていることを指定する照明インディケーション(lighted indication)が生成される。照明レベルが所定の照明閾値よりも小さい場合、ステップ３３５において、照明システム１１０が非アクティブにされていることを指定する非照明インディケーション(non-lighted indication)が生成される。
【００５２】
ステップ３４０において、フォトセンサ１３０によって測定された占有が受けられてもよい。上記のように、占有センサ１３０は、ロケーション１０５で発生した測定可能な動きがあるかどうかを測定するために任意のメカニズムを利用してもよい。ステップ３４５において、制御システム１１５は、フォトセンサ１３５に基づく出力と占有センサ１３０に基づく出力との間の不一致があるかどうかを判断する。上述のように、一致は第１及び第２の組み合わせに対応してもよく、一方、不一致は第３及び第４の組み合わせに対応してもよい。不一致がない場合、制御システム１１５はステップ３５０に続き、現在の照明使用が維持される。例えば、第１の組み合わせの場合、照明システム１１０はアクティブのままである。別の例では、第２の組み合わせの場合、照明システム１１０は非アクティブのままである。
【００５３】
不一致がある場合、制御システム１１５は、ステップ３４５からステップ３５５に続く。ステップ３５５において、制御システム１１５は、照明システム１１０がアクティブにされるかどうか（例えば、ステップ３２５からの結果）を決定する。照明システム１１０が非アクティブにされている場合、対処されるシナリオは、具体的には、占有が検出されるが照明システム１１０が非アクティブにされている第３の組み合わせに対応してもよい。したがって、ステップ３６０において、制御システム１１５は、照明システム１１０の自動アクティブ化（例えば、部分照明動作）を防止する。ユーザがロケーション１０５に存在する場合、ユーザは手動入力レシーバ１２０に入力を手動で提供してもよい。
【００５４】
照明システム１１０がアクティブにされている場合、対処されるシナリオは、具体的には、占有が検出されないが照明システム１１０がアクティブにされている第４の組み合わせに対応してもよい。斯くして、ステップ３６５において、制御システム１１５は、第４の組み合わせが識別されている時間量が許容閾値を超えるかどうかを決定する。許容閾値を超える場合、制御システム１１５はステップ３２５に戻り、分析の別の反復が実行される。しかしながら、許容閾値を超える場合、制御システム１１５はステップ３７０に続き、タイマ１４５が、照明システム１１０を非アクティブにするためカウントダウンを開始するためにトリガされる。
【００５５】
例示的な実施形態は、手動オン自動オフ照明システム内の占有センサによって生成されるフォールスポジティブ及びフォールスネガティブから生じるシナリオを克服するデバイス、システム及び方法を提供する。フォールスポジティブは、潜在的に照明システムが自動的に（例えば、部分照明設定に）アクティブにされることを招くので、不必要な電力消費がある。フォールスネガティブは、ユーザがまだロケーションにいる一方、非アクティブにすることによって照明システムが不適切に使用されることを招くので、破壊的な照明の使用(disruptive lighting use)がある。したがって、占有センサの出力を確認又は否定するためにフォトセンサを組み込むことにより、これらの誤った結果が、より適切な方法で処理されてもよい。
【００５６】
当業者は、上記の例示的な実施形態が、任意の適切なソフトウェア若しくはハードウェア構成又はそれらの組み合わせで実装されてもよいことを理解するであろう。さらなる例では、上記の方法の例示的な実施形態は、プロセッサ又はマイクロプロセッサで実行され得るコンピュータ可読記憶媒体に記憶されたコード行を含むコンピュータプログラムプロダクトとして具現化されてもよい。記憶媒体は、例えば、任意の記憶動作を使用する上記のオペレーティングシステムで使用するために互換性があるか又はフォーマットされたローカル又はリモートのデータリポジトリであってもよい。
【００５７】
本開示の精神又は範囲から逸脱することなく、本開示において様々な修正が行われ得ることが当業者には明らかであろう。斯くして、本開示は、添付の特許請求の範囲及びそれらの均等物の範囲内に入るという条件で、本開示の修正及び変形を網羅していることが意図されている。
【図１】
0006764550.tif 000002
【図２】
0006764550.tif 000003
【図３】
0006764550.tif 000004